Podtech/llm-jp-corpus-v4-ja_patent huggingface dataset:
(57)【要約】【課題】  農園芸を行う時に、種を蒔いたり、苗を植えた後に開花するまでまたは実るまでピック本体で品種を分かるようにする農園芸ピックを提供する。【解決手段】  可愛い小動物の人形の下部に土に刺す杭を設け、人形の手には野菜とか花を持たせ品種が分かるようにし、また人形の背面に支柱へ取り付けられるクリップを設けることを特徴とする農園芸ピックである。【選択図】図１
2008148673.tif 000002
【特許請求の範囲】
【請求項１】
動物、キャラクター等の形状の人形本体と、該人形本体下部に設けられた土に刺すことで人形本体を固定する杭と、野菜．花．果実等の形状をした表示物と前記人形本体に設けられた該表示物を着脱自在に取りつけられる取付機構とより構成される農園芸ピック。
【請求項２】
人形の背面に支柱へ取り付けられるクリップを設けた請求項１の農園芸ピック。
【発明の詳細な説明】
【技術分野】
【０００１】  本発明は農園芸を行う時に、種を蒔いたり、苗を植えた後に開花するまでまたは実るまでピック本体で品種を分かるようにする農園芸ピックに関するものである。
【背景技術】
【０００２】  従来、農園芸で種を蒔いたときは、種袋を土に刺し込んで品種の表示に利用していた。また、苗を植えたときは、表示がないままかまたは、白い板状のラベルにマジックで品名を記入し土に刺し込んで表示としていた。
【発明の開示】
【発明が解決しようとする課題】
【０００３】  そのために、次のような問題点があった。
（イ）種を蒔いたとき品種表示のために種袋を土に刺し込んでいたので、風で種袋が飛ばされて品種が分からなくなっていた。
（ロ）花壇では花の種を蒔いたとき、種袋を土に差し込んで表示すると美しさ、可愛らしさがなく花壇のイメージが悪かった。
（ハ）苗を植えたときは、白い板状のラベルにマジックで品名を記入し土に差し込む為非常に効率が悪かった。
（ニ）苗が大きくなると表示が見えなくなっていた。
本発明は以上の問題点を解決しようとするものである。
【課題を解決するための手段】
【０００４】    可愛い小動物の人形の下部に土に刺す杭を設ける。そして人形の手には野菜とか花を持たせ品種が分かようにし、また人形の背面に支柱へ取り付けられるクリップを設ける。以上を特徴とする農園芸ピックである。
【発明の効果】
【０００５】本発明は、可愛い小動物の人形の下部に土に刺す杭を設けているので、効率よく簡単に土に差し込むことができ、風に飛ばされることもない。人形の手には品種が一目でわかる表示物が設けられているため、細かい字などを読まなくても、どこになにを植えたかがわかる。また、苗が大きくなれば支柱にクリップで取り付けることもできるため見やすくなる。よって美しく、可愛らしい農園花壇となる。
ラベルに書く煩わしさもない。
【発明を実施するための最良の形態】
【０００６】以下、本発明の実施の形態を説明する。
（イ）可愛い小動物よりなる人形本体（１）の片手の先端に球状の穴をあけ、その穴に表示物（２）と一体になった球状の突起物を差し込んで装着する。
（ロ）杭（３）を可愛い小動物よりなる人形本体（１）の下部に設ける。
（ハ）クリップ（４）を可愛い小動物よりなる人形本体（１）の背部に設ける。
本発明は以上のような構造で、これを使用するときは、可愛い小動物よりなる人形本体（１）を指先でつまんで杭（３）を土（５）に差し込む。
土（５）から引き抜くときは、可愛い小動物よりなる人形本体（１）を指先でつまんで抜く。
支柱（６）に可愛い小動物よりなる人形本体（１）を取り付けるときは、可愛い小動物よりなる人形本体（１）を指先でつまんでクリップ（４）を支柱（６）に当て押圧によりはめ込む。
支柱（６）より可愛い小動物よりなる人形本体（１）を取り外すときは、可愛い小動物よりなる人形本体（１）を指先でつまんでクリップ（４）を引圧により支柱（６）から離脱させ取り外す。
また、可愛い小動物よりなる人形本体（１）に表示物（２）を取り付けるときは、表示物（２）を指先でつまんで表示物（２）と一体になった球状の突起物を可愛い小動物よりなる人形本体（１）の片手の先端にあけた球状の穴に当て押圧によりはめ込む。
可愛い小動物よりなる人形本体（１）より表示物（２）を取り外すときは、表示物（２）を指先でつまんで引圧により可愛い小動物よりなる人形本体（１）から離脱させ取り外す。
【図面の簡単な説明】
【０００７】
【図１】本発明の斜視図
【図２】本発明の斜視図
【符号の説明】
【０００８】    １    人形本体
２    表示物
３    杭
４    クリップ
５    土
６    支柱
【図１】
2008148673.tif 000003
【図２】
2008148673.tif 000004
(57)【要約】      （修正有）【課題】海水中、土壌中において、２価鉄イオンを効率よく発生させて生物の生命活動を律速する２価鉄イオン発生装置を提供する。【解決手段】メッキ板１２、鉄鋼材１３、腐植物１４を重ね合わせて作成した球形、立方体等のキレート化合物（２価鉄イオン発生装置１１）を漁礁へ固定したり、又は、土壌中へ投入することにより、金属のイオン化傾向を利用して発生させた２価鉄イオンを生物に供給して生物の生命活動および生産性を促進する２価鉄イオン発生装置である。【選択図】図１
2008148678.tif 000002
【特許請求の範囲】
【請求項１】
本発明の２価鉄イオン発生装置は、金属のイオン化傾向を利用したものである。イオン化傾向の大きい金属はイオン化傾向の小さい金属に電子を押し付ける。鉄は、鉄よりイオン化傾向の小さい金属、ニッケル、スズ、亜鉛、銅、水銀、銀、白金、金に電子を流すアノードとなる。鉄よりイオン化傾向の小さい金属はカソードとなる。その際鉄は、イオン化される。例えば海水中のスズと鉄のメッキ板（ブリキ）は、海水中で水和している塩素イオン（酸化剤Ｃｌ−）によりスズが腐食される、鉄はスズに電子を渡しイオン化する。鉄イオンは、塩素と結合し塩化鉄（ＦｅＣｌ２）となる。また海水中、土壌中において、腐植物と錯体を形成し、キレート化する。共に生物に容易に利用される。
上述の目的を達成する本発明は、金属同士の溶融、メッキ、メッキ板の重ね合わせ、微粉末の混合に固形剤を加え使用しやすくする等の方法をとる。また、キレート化のために、腐食物を間に挟む、混合する等の方法もとる。形は利用形態により様々に変えられる。例えば球形、立方体等である。２価鉄イオン発生装置を利用箇所に設置、投入する。例えば漁礁への固定、土壌中への投入等であることを特徴とする２価鉄イオン発生装置。
【発明の詳細な説明】
【技術分野】
【０００１】  本発明は、２価鉄イオンの発生とその有効利用に関する。
【背景技術】
【０００２】  生物は、鉄イオンを２価鉄イオンとして、またフルボ酸鉄等のキレート鉄として生体内に取り入れる。２価鉄イオンは生物の呼吸鎖複合体に於ける電子伝達体として重要な役目を果たす。微量ではあるが、不足すると呼吸鎖全体を律速し、生命活動全般にかかわる。植物等の光合成生物においても、光合成の電子伝達系においてシトクロムｂ６（２ヘムたんぱく質２Ｆｅ−２Ｓ）として、生命活動全般を律速する。【０００３】  ２価鉄イオンの不足による現象として、海水中においては、磯焼けという現象がある。褐藻類、紅藻類などが石灰藻に変る現象をいう。石灰藻は非常に生産性が低く、不毛の海となる。その為、従来技術として、鋼鉄製の漁礁等により、対策が行われている。しかし鉄イオンは、水酸化鉄、酸化鉄として不溶化し、生物に利用されなくなる。また鋼鉄製の漁礁表面を水酸化鉄、酸化鉄の酸化皮膜として被覆し、鉄イオンの発生は効果が減少する。【０００４】  土壌中においても、２価鉄イオンの不足により、イネの黄化現象等に見られるように、生産性が大きく落ちる。従来技術としてキレート鉄の投入等が行われるが、３価鉄イオン、硫化鉄、水酸化鉄、酸化鉄として、植物に利用されにくくなる。【０００５】  なお本発明に関する公知技術として次の非特許文献１を、挙げることが出来る。【０００６】
【非特許文献】  「森が消えれば海も死ぬ（講談社ブルーバックス）」第３２頁〜第６０頁
【発明の開示】
【発明が解決しようとする課題】
【０００７】  従来技術の鉄イオンは、水酸化鉄、酸化鉄として不溶化し、生物に利用されなくなる。また鋼鉄製の漁礁表面を水酸化鉄、酸化鉄の酸化皮膜として被覆し、鉄イオンの発生は効果が減少する。またキレート鉄も、３価鉄イオン、硫化鉄、水酸化鉄、酸化鉄として、植物に利用されにくくなる【０００８】  本発明は、金属のイオン化傾向を利用したものである。イオン化傾向の大きい金属はイオン化傾向の小さい金属に電子を押し付ける。鉄は、鉄よりイオン化傾向の小さい金属、ニッケル、スズ、亜鉛、銅、水銀、銀、白金、金等に電子を流すアノードとなる。鉄よりイオン化傾向の小さい金属はカソードとなる。その際鉄は、イオン化される。例えば海水中のスズと鉄のメッキ板（ブリキ）は、海水中で水和している塩素イオン（酸化剤Ｃｌ−）や傷によりスズが腐食される、鉄はスズに電子を渡しイオン化する。鉄イオンは、塩素と結合し塩化鉄（ＦｅＣｌ２）となる。また海水中、土壌中において、腐植物と錯体を形成し、キレート化する。共に生物に容易に利用される。【０００９】  本発明は鉄のイオン化傾向により、電池のように絶えず電子を受け渡すことにより、絶えずイオン化することに特徴がある。その為、電子を受け渡す距離に金属が接近する必要がある。メッキや溶融、微粉末の混合等により、金属同士を接近させる。
【問題を解決する為の手段】
【０００１０】  上述の目的を達成する本発明は、金属同士の溶融、メッキ板の重ね合わせ、微粉末の混合に固形剤を加え使用しやすくする等の方法をとる。また、キレート化のために、腐食物を間に挟む、混合する等の方法もとる。形は利用形態により様々に変えられる。例えば球形、立方体等である。
【０００１１】  ２価鉄イオン発生装置を利用箇所に設置、投入する。例えば漁礁への固定、土壌中への投入等である。
【発明の効果】
【００１２】  以上説明したように本発明によれば、絶えず２価鉄イオンを海水中、土壌中に発生させることが出来る。生物の生命活動そして生産性全体を律速する２価鉄イオンを生物に供給する事により、磯焼け、黄化現象などの２価鉄イオン不足を防ぎ、本来の生命活動、生産性、を取り戻すことができる。また２価鉄イオンは石灰藻の胞子を死滅させる。不毛の海を豊饒の海とする。
【発明を実施する為の最良の形態】
【００１３】  以下、本発明の実施の形態を図面に基づき詳細に説明する。
【００１４】  図１〜図２は、本発明の実施の形態に係り、図１はその外観斜視図の１例である。図２は形態の例である。
【００１５】  図３は本発明の使用状況に係り、図３は使用状況の縦断面図、
【００１６】  図１に示すように、２価鉄イオン発生装置１１は、メッキ材１２、鉄鋼材１３、腐食物１４との重層構造もとる。重層構造は順序等は不同である。
【００１７】  図２に示すように、２価鉄イオン発生装置は様々な形態（形状、大きさ）をとる。
【産業上の利用可能性】
【００１８】  本発明は、漁礁や農業資材を製造、販売する産業分野で利用することが出来る。
【図面の簡単な説明】
【００１９】
【図１】  本発明の実施構造の１例に係る２価鉄イオン発生装置の外観斜視図である。
【図２】  ２価鉄イオン発生装置の形態に係わる外観斜視図である。
【図３】  ２価鉄イオン発生装置の使用状況の縦断面図である。
【符号の説明】
【００２０】  １１  ２価鉄イオン発生装置
１２  鉄と鉄よりイオン化傾向の小さい金属とのメッキ（ブリキ等）
１３  鉄鋼材
１４  腐植物（ピートモス等）
１５  球形２価鉄イオン発生装置
１６  立方体２価鉄イオン発生装置
１７  固定器具
１８  漁礁躯体
１９  スズなどの鉄よりイオン化傾向の小さい金属
【図１】
2008148678.tif 000003
【図２】
2008148678.tif 000004
【図３】
2008148678.tif 000005
(57)【要約】【課題】  内径が細い筒状の表皮片に、環縫いによるダブルステッチ縫いを可能とする穴開きヘッドレスト用の表皮を提供することである。【手段】  ダブルステッチの二本の上糸１Ａ、１Ｂに対して一本の下糸２を環縫いし、下糸２を表皮と一体の発泡体製パッドに一体に固着したことを特徴とする。【選択図】            図２
2008148742.tif 000002
【特許請求の範囲】
【請求項１】
複数の筒状に縫製した表皮片を接ぎ合わせて構成し、その内部にパッド成形用発泡液を注入してパッドを成形する穴開きヘッドレスト用の表皮であって、
前記筒状の表皮片には平行な二本の上糸と、この二本の上糸に環縫いされる一本の下糸からなるダブルステッチ縫いを有し、前記下糸は前記パッドに一体に固着してなる穴開きヘッドレスト用の表皮。
【発明の詳細な説明】
【技術分野】
【０００１】
本発明は、穴開きヘッドレストに使用する表皮に関する。
【背景技術】
【０００２】
自動車用シートに備えるヘッドレストには、前面中央に前後方向に貫通する穴を有するものがあり、このヘッドレストは多数の筒状に縫製した表皮片をドーナツ状になるように接ぎ合わせて形成して内部に芯材（ステー）を挿入した後、ドーナツ状の表皮内にパッド成形用の発泡液を注入して表皮と一体成形している。
【０００３】
そして、以上の表皮は環縫いによる縫い合わせによって縫製しているものがある（例えば、特開２００３−１０３０７６号公報参照）。
【０００４】
【特許文献１】特開２００３−１０３０７６号公報
【発明の開示】
【発明が解決しようとする課題】
【０００５】
前記穴開きヘッドレスト用の表皮において、ヘッドレストの外観品質を向上させるために、筒状の表皮片にダブルステッチ縫いを環縫いミシンで縫うと、上糸用の二本のミシン針を間隔をあけて設け、この二本のミシン針に対応する下糸用の二ケのボビンを収容する共にミシンテーブルより上方にポスト状に突出する突出体をミシンテーブルに設ける必要がある。
【０００６】
そして、前記筒状の表皮片の内部に前記突出体を挿入して二本のミシン針で二本の上糸を平行に、突出体内の各ボビン内から繰り出させる二本の下糸に絡ませて環縫いすることが必要がある。
【０００７】
ところが、前記筒状の表皮片の内周が細いと、前記突出体が筒状の表皮片内に挿入できない。そのため、細い筒状の表皮片にはダブルステッチで環縫いすることができない不具合が生じる。
【０００８】
従って、内周が細い筒状の表皮片をドーナツ状に縫製するヘッドレスト用表皮には環縫いミシンによるダブルステッチ縫いは行えない不具合があった。
【０００９】
そこで、本発明は斯様な不具合を解消することを目的とする。
【課題を解決するための手段】
【００１０】
以上の目的を達成するための本発明に係る穴開きヘッドレスト用の表皮は、複数の筒状に縫製した表皮片を接ぎ合わせて構成し、その内部にパッド成形用発泡液を注入してパッドを成形する穴開きヘッドレスト用の表皮であって、前記筒状の表皮片には平行な二本の上糸と、この二本の上糸に環縫いされる一本の下糸からなるダブルステッチ縫いを有し、前記下糸は前記パッドに一体に固着してなることを特徴とするものである。
【発明の効果】
【００１１】
本発明によれば、穴開きヘッドレスト用の表皮において一本の下糸に対して二本針による上糸二本を環縫いミシンでダブルステッチ縫いする構成であるから、下糸用のボビンが一つで済む。そのため、このボビンを収容する突出体は、その外周を細く形成でき、内周が細い筒状の表皮片に、環縫いによるダブルステッチ縫いが可能となる。
【００１２】
また、一本の下糸はパッドに一体に固着されているため、下糸がほつれることがない。
【発明を実施するための最良の形態】
【００１３】
以下、本発明の一実施例を図面に基づいて説明する。
図1は本発明に係る表皮を使用して成形した穴開きヘッドレストを示し、図中Ｈは前面中央に前後方向に貫通する穴、Ｓはヘッドレストの内部に埋設し脚部が外部に突出するステー、Ｐは表皮とステーＳとを一体に発泡成形した発泡体製のパッドを各々示す。
【００１４】
以上の表皮は表皮材、発泡体製ワディング、ワディングカバーの積層体などこの種のヘッドレストに使用される従来周知の材質で、まず、表皮片を構成する上部Ａ１、左右の側部Ａ２、Ａ３を一体に筒状に縫製し、これに別の表皮片を構成する筒状に縫製した下部Ｂを接ぎ合わせることにより、ドーナツ状に成形するものである。
【００１５】
以上の上部Ａ１、左右の側部Ａ２、Ａ３が矢印方向である周方向に対して直交方向にダブルステッチ縫い１Ａ、１Ｂを施してヘッドレストの外観品質を向上させている。
【００１６】
以上のダブルステッチ縫い１Ａ、１Ｂは、図２に示すように、二本の上糸１Ａ、１Ｂに対してこの二本の上糸１Ａ、１Ｂに絡む一本の下糸２とで環縫いされている。
【００１７】
従って、環縫いミシンには各上糸１Ａ、１Ｂのミシン針３０、３１と、その下方のミシンテーブル盤上に、前記下糸２用のボビンなどを収容するポスト状の突出体４が設けてある。
【００１８】
この環縫いミシンのミシン針、突出体など環縫い用の部材は従来周知の構造のものであるが、従来の環縫いによるダブルステッチ縫いは二本の間隔をあけて設けた上糸用のミシン針と、この各ミシン針に対応する下糸用のボビン等を収容する突出体が必要であった。
【００１９】
従って、従来の縫いは、各上糸に対応する下糸を各々絡ませて環縫いする構造であるため、各下糸に対応するボビン等２ケを収容する突出体が必要なため、突出体の外径が大きくなる。
【００２０】
そのため、環縫いする際、突出体に、この突出体の外径より小径の内径を有する前記筒状に縫製した表皮片を構成する上部Ａ１、左右側部Ａ２、Ａ３及び筒状の下部Ｂが入らず、環縫いすることができない。
【００２１】
しかし、前記本発明に係る環縫いによるダブルステッチ縫いでは、上糸１Ａ、１Ｂに対して下糸２が一本であるため、下糸２用のボビン等を収容する突出体４の外周Ｗが細くなる。
【００２２】
従って、細い筒状の上部Ａ１、左右側部Ａ２、Ａ３及び下部Ｂが突出体４に入り、筒状の上部Ａ…などの表皮片を環縫いによるダブルステッチ縫いを行うことができる。
【００２３】
そして、下糸２は内部に注入した発泡液の発泡成形によってパッドＰに表皮内面と共に一体に固着される。この下糸２の固着により、下糸２の上糸１Ａ、１Ｂからのほつれを防止できる。
【００２４】
なお、図２において、図中１０，１１は縫糸１０１によって筒状に縫製した表皮片Ａ２の一端部と他端部を各々示す。
【産業上の利用可能性】
【００２５】
本発明は自動車用の穴開きヘッドレストの他に、アームレストなど筒状に表皮を縫製し、内部にパッド成形用の発泡液を注入して表皮と一体に発泡体を成形するものにおいても利用可能である。
【図面の簡単な説明】
【００２６】
【図１】本発明に係る表皮を使用して成形した穴開きヘッドレストの部分切欠斜視図である。
【図２】本発明の部分拡大断面図である。
【符号の説明】
【００２７】
１Ａ、１Ｂ…上糸、２…下糸、Ａ１、Ａ２、Ａ３、Ｂ…筒状の表皮片、Ｐ…パッド。
【図１】
2008148742.tif 000003
【図２】
2008148742.tif 000004
(57)【要約】      （修正有）【課題】炊飯器からの御飯の給仕用杓文字の収納手段として炊飯器の釜の上縁に杓文字の取っ手側を外に、給仕板側を内に、ワンタッチで脱着出来る形状で貫通させ収納できるようにする事により、別置杓文字収納器をおく事なく杓文字を衛生的に湿度と温度を保つことが出来、又、使用時、杓文字に御飯の付着を少なくし、衛生的に給仕を容易に出来る手段を提供する。【解決手段】  熱伝導しづらい材質で作られた杓文字を、炊飯器の釜の上縁に、取っ手側を外に給仕板側を内に、ワンタッチで脱着出来、気密性を保つよう、又、前後にずれが生じないようくびれを作り、はまり込みを台形状にし、縁蓋シールド５を設け、収納時の固定用に、杓文字固定用磁石３を設置し、杓文字２の脱着を確実に衛生的に容易に行うことが出来、又炊飯時には炊飯時縁蓋４を脱着貫通縁６に取り付ける事により通常と同じ方法で炊飯が出来る。【選択図】図１
2008148991.tif 000002
【特許請求の範囲】
【請求項１】
炊飯時専用４．炊飯時縁蓋と保温給仕専用２．杓文字を設け６．脱着貫通縁の形状を機密性を保つように５．縁蓋シールドを設け２．杓文字４．炊飯時縁蓋を同じ位置に固定させるため、はまり込み部形状を前後にずれないように、くびれ受け入れこみ部を台形状にし、磁石で固定する手段
【請求項２】
炊飯器の釜側か蓋側の縁に２．杓文字の取っ手側を熱伝導しづらい材質で作り、外側に給仕板側を釜の内側に成る様にし４．炊飯時縁蓋と同様容易にワンタッチで脱着固定する手段
【発明の詳細な説明】
【産業上の利用分野】
【０００１】
１．炊飯器の中に衛生的に湿度と温度を保ちながら２．杓文字収納使用を行う方法に関する
【従来の技術】
【０００２】
杓文字収納器を別置で設置し不衛生で湿度と温度が管理出来てなくご飯粒が杓文字に付着し又水につけておくとご飯が一部冷たく見うがついた状態になっていた。
【発明の開示】
【発明が解決しようとする課題】
【０００３】
前記のように杓文字収納器を別置で設置しないで１．炊飯器の中に衛生的に収納する機構開発の課題。
【課題を解決するための手段】
【０００４】
1.炊飯器の釜の外と内に杓文字を貫通させ設置するのが一番衛生的に湿度、温度を合わせ保つのに条件が良いため釜、又はふたの縁に気密性を保ちワンタッチで脱着出来る構造にし御飯の給仕を容易にする手段を特徴とする。
【作用】
【０００５】
１．炊飯器からご飯を給仕する２．杓文字を別置収納器を使用せず１．炊飯器内に衛生的に湿度、温度を保ちながらワンタッチで脱着収納しながら給仕が出来る装置である。
【発明を実施するための最良の形態】
【０００６】
熱伝導しづらい材質で作られた杓文字を、炊飯器の釜の上縁に、取っ手側を外に給仕板側を内に、ワンタッチで脱着出来、気密性を保つよう、又、前後にずれが生じないようくびれを作り、はまり込みを台形状にし５．縁蓋シールドを設け、収納時の固定用に３．杓文字固定用磁石を設置し２．杓文字の脱着を確実に衛生的に容易に行うことが出来、又炊飯時には４．炊飯時縁蓋を６脱着貫通縁に取り付ける事により通常と同じ方法で炊飯を出来るのを特徴とする。
【図面の簡単な説明】
【０００７】
【図１】杓文字及び炊飯時縁蓋脱時図
【図２】炊飯器杓文字固定図
【図３】炊飯器保温時杓文字収納図
【符号の説明】
【０００８】
１．炊飯器
２．杓文字
３．杓文字固定用磁石
４．炊飯時縁蓋
５．縁蓋シールド
６．脱着貫通縁形状
７．保温時杓文字状態
【図１】
2008148991.tif 000003
【図２】
2008148991.tif 000004
【図３】
2008148991.tif 000005
(57)【要約】【課題】  抜け毛予防として、ドライヤ−で送風しながら、頭皮のマッサ−ジやツボ刺激を可能にする。温風を当てるドライヤ−の吹出口が近づきすぎて頭皮を熱で痛めることを防ぐ。【解決手段】  ドライヤ−ノズル先端に回転自在なイボ状突起を有する車輪をつけることにより、温風を当てながらドライヤ−を動かしマッサ−ジやツボ刺激ができるようにした。  頭皮に当たるイボ状突起からドライヤ−本体の吹出口の長さを１０cm以上にすることにより、温風による頭皮のダメ−ジを防止できるようにした。【選択図】          図１
2008148848.tif 000002
【特許請求の範囲】
【請求項１】
ドライヤ−本体からの温風を外に導くドライヤ−ノズルにおいて、先端に複数個のイボ状突起を備えた車輪を回転自在に取り付けたことを特徴とするドライヤ−ノズル。
【請求項２】
ノズルの外周に温風を逃がす空洞部を設けたことを特徴とする請求項１記載のドライヤ−ノズル。
【請求項３】
ノズルはドライヤ−本体に対して着脱自在に取り付けられており、長手方向の寸法は少なくとも１０cm以上の長さを有していることを特徴とする請求項１又は２記載のドライヤ−ノズル。
【発明の詳細な説明】
【技術分野】
【０００１】
本発明は、ドライヤ−ノズルの先端にイボ状突起をもつ車輪を取り付けることにより、温風を当てながら頭皮のマッサ−ジ及びツボ刺激を可能にしたドライヤ−ノズルである。
【背景技術】
【０００２】
従来のドライヤ−ノズルの中には、先端にくし状や円盤状のブラシを取り付け髪のブラッシング機能を持ったものはあるが、温風を当てながら頭皮自体をマッサ−ジするものはなかった。
【０００３】
その改善策として、ドライヤ−ノズルの先端部位にイボ状突起を配列させた車輪を取り付け、頭皮に当ててドライヤ−を動かすことにより、温風を当てながら頭皮のマッサ−ジ及びツボ押しができるようにした。
【特許文献１】特開平９−８４６２５号公報
【発明の開示】
【発明が解決しようとする課題】
【０００４】
解決しようとする問題点は、ドライヤ−の温風を当てながら抜け毛予防として頭皮のマッサ−ジやツボ刺激をどのようにするかである。また、温風を当てる時、ドライヤ−の吹出口が近づきすぎて頭皮を熱で痛めることをどのように防ぐかである。
【課題を解決するための手段】
【０００５】
前記目的に沿う請求項１記載のドライヤ−ノズルは、ノズル先端に、頭皮に当接し、回転自在なイボ状突起を配列した車輪を取り付け、温風を当てながらドライヤ−を移動させれることにより、車輪による頭皮のマッサ−ジとツボ刺激ができるようにしたことを特徴とするドライヤ−ノズルである。
請求項２は、ドライヤ−ノズルの外周に温風を逃がす空洞部を設け、温風が頭皮に集中するのを防ぐようにした。
請求項３は、ノズル長手方向の寸法を少なくとも１０cm以上の長さにすることにより、温風による頭皮のダメ−ジを防ぐようにした。
【発明の効果】
【０００６】
入浴後は頭皮の血行がよくなっている状態のため、頭皮のマッサ−ジやツボ押しには適当な時間帯である。そこで、ドライヤ−ノズルの先端にマッサ−ジ効果を持つイボ状突起を有する回転自在な車輪を付け、それを頭皮に当てながらドライヤ−を動かすことにより、温風を当てながら頭皮のマッサ−ジ及びツボ押しができる。また、一般的にドライヤ−の吹出口は１０cm以上離したほうが望ましいとされるが、車輪の先端から吹出口までの長さを調節することにより、ドライヤ−の温風が頭に近づきすぎるのを防ぐことができる。
【実施例１】
【０００７】
本発明の実施例を図１から図８に基づいて説明する。
図１に示すように、まず、ドライヤ−本体７があり、このドライヤ−本体７の先端には、ドライヤ−ノズル４が取り付けられている。ドライヤ−ノズル４には、ドライヤ−本体７からの温風を逃がす空洞２、３があり、ドライヤ−ノズル４の先端部にイボ状突起を有し、回転自在な車輪１が取り付けられている。
図２のごとく、ドライヤ−本体７に前記ノズルを取り付け先端の車輪１を頭皮に当接し、ドライヤ−本体７を動かす運動に合わせて、車輪１が回転するようになっている。
図３は、ドライヤ−ノズル４の先端部に付ける車軸６及び車輪１を取り外した状態である。図４は、車軸６の両端を鍵状にして、図３鍵状穴５に取り付けノズル先端部に車軸６を固定する。
図５は、ドライヤ−ノズル４の先端部に車軸６を取り付けた状態である。
図６は、車軸６上を回転する車輪１を１個取り付けた状態である。実際には３個以上の車輪を取り付ける予定である。
図７は、ドライヤ−ノズル４の先端部に回転する３個の車輪１を取り付けた正面図である。車輪１はドライヤ−本体の動きに合わせて回転するようになっている。
図８は、ドライヤ−ノズルの上方から見た図である。先端部に固定された車軸６上を回転する車輪１を頭皮に当接させ、ドライヤ−本体７の動きに合わせて回転させることにより、車輪１につけたイボ状突起により、頭皮をマッサ−ジするようになっている。
なお、ドライヤ−ノズルの素材は耐熱プラスチックを用いてもよい。
【図面の簡単な説明】
【０００８】
【図１】ドライヤ−本体７に前記ノズルを取り付けた側面図である。
【図２】前記ノズルを装着したドライヤ−を動かしている状態である。
【図３】斜視図である。
【図４】車軸である。
【図５】ドライヤ−ノズルに車軸を装着した斜視図である。
【図６】車軸に１個の車輪を装着した斜視図である。
【図７】ドライヤ−ノズル先端に車軸と車輪を装着した正面図である。
【図８】ドライヤ−ノズル先端に車軸と車輪を装着した状態を上方から見た図である。
【符号の説明】
【０００９】
１      車輪
２、３  空洞
４      ドライヤ−ノズル
５      車軸取り付け穴
６      車軸
７      ドライヤ−本体
【図１】
2008148848.tif 000003
【図２】
2008148848.tif 000004
【図３】
2008148848.tif 000005
【図４】
2008148848.tif 000006
【図５】
2008148848.tif 000007
【図６】
2008148848.tif 000008
【図７】
2008148848.tif 000009
【図８】
2008148848.tif 000010
(57)【要約】【課題】血糖値は、糖尿病その他の疾患の重要な指標であり、これを測定することは生体管理には必須のものである。そこで被検者に苦痛を与えず、感染の不安等のない血糖値測定方法及び装置を提供する。【解決手段】血管が見える部位に光を照射し、その照射のエネルギーに起因して血液成分が発光する発光量を検知し、その発光量と、過去の血糖検査データとから血糖値を算出する方法、及び血管が見える部位に光を照射し、その照射のエネルギーに起因して血液成分が発光する発光量を検知し、その発光量と、過去の血糖検査データとから血糖値を算出する装置であって、発光部、受光部、及び演算部を有するもの。【選択図】  なし【特許請求の範囲】
【請求項１】
血管が見える部位に光を照射し、その照射のエネルギーに起因して血液成分が発光する発光量を検知し、その発光量と、過去の血糖検査データとから血糖値を算出することを特徴とする血糖値の算出方法。
【請求項２】
血管が見える部位に光を照射し、その照射のエネルギーに起因して血液成分が発光する発光量を検知し、その発光量と、過去の血糖検査データとから血糖値を算出する装置であって、発光部、受光部、及び演算部を有することを特徴とする血糖値の算出装置。
【発明の詳細な説明】
【技術分野】
【０００１】
本発明は、血糖値の算出方法及び装置に関するものである。
【背景技術】
【０００２】
血糖値は、糖尿病その他疾病の重要な指標であり、これを測定することは生体管理には必須のものである。この血糖値の測定は従来通り採血をし、その血液を調べて行なうものである。
【０００３】
この採血は注射器で行なうにしろ、採血具（ランセットと呼ばれている）を用いるにしろ、被検者に苦痛を与えるだけでなく、感染の不安、さらに術者の負担が常に伴う。更に、頻繁に行なう場合には血管および生体を損傷することも考えられる。
【発明の開示】
【発明が解決しようとする課題】
【０００４】
よって、被検者に苦痛を与えず、感染の不安、さらに術者の負担がなく、且つ生体を損傷しない血糖値測定方法を提供する。
【課題を解決するための手段】
【０００５】
このような現状に鑑み、本発明者は鋭意研究の結果本発明血糖値の算出方法及び装置を完成したものであり、その特徴とするところは、算出方法にあっては、血管が見える部位に光を照射し、その照射のエネルギーに起因して血液成分が発光する発光量を検知し、その発光量と、過去の検査データとから血糖値を算出する点にあり、算出装置にあっては、血管が見える部位に光を照射し、その照射のエネルギーに起因して血液成分が発光する発光量を検知し、その発光量と、過去の検査データとから血糖値を算出する装置であって、発光部、受光部、及び演算部を有する点にある。
【０００６】
まず本発明方法の原理について説明する。
血中グルコースは、その官能基−ＣＨＯとタンパク質又はアミノ酸の−ＮＨ2  残基とが非酵素的に縮合脱水することが知られている。この反応は化学的にはSchiff塩基の形成である。
このプロセスは糖尿病の合併症への初期進展の初期段階とも考えられるものである。そして、実際には糖尿病の診断にはＨｂＡ１ｃが用いられるが、これはヘモグロビン（タンパク質）のリジン末端の−ＮＨ2  とグルコースの−ＣＨＯとの脱水反応で−Ｃ＝Ｎ−結合を経て、転移後安定型のＨｂＡ１ｃとなったものである。
【０００７】
本発明者は、このSchiff塩基が他の二重結合と共役するときに蛍光を発することに着目し、更にこの強度が血中グルコース濃度に比例することから、血糖値を求めようとするものである。
【０００８】
まず、所定の部位（例えば、左手手首内側、左手人差指内側等）に光を照射する。その光がタンパク分子に吸収され、そのエネルギーによって励起され蛍光が発せられる。この蛍光（発光）を受光器によって受光し定量する。即ち、照射した光がそのまま反射されたり、透過されて受光器に達するのではなく、分子がエネルギーを吸収し新たに別の光（波長の異なる）を発するのである。
【０００９】
この時の血糖値を採血して従来の方法で測定する。そして、前記定量した受光量と血糖値との関係を求めておく。より厳密に行なうには、時刻や日を変えて複数回行ってグラフを求めてもよい。
【００１０】
これで、その特定部位に特定の光を照射し、そこからの発光量を測定すれば、その発光量（受光量）に一定の係数を掛けるか、グラフ化したものと比較すれば血糖値が決定できる。
【００１１】
次に本発明装置について説明する。
本発明装置は上記の算出方法に使用する装置であって、発光部、受光部、及び演算部を有するものである。
発光部とは、通常の発光装置でよく特別なものである必要はない。発する光は全光でも特定波長のものでもよい。即ち、上記した分子が吸収する波長付近のものだけでもよい。これは、２００〜４５０ｎｍ程度である。
【００１２】
受光部も通常のものでよく市販されているものでもよい。
演算部とは、コンピューター部分であり、通常のコンピューター、ＣＰＵ等でよい。
【００１３】
更に、測定値や計算値を記憶するメモリー、ディスプレー、アウトプットするプリンター、入力キー等を設けてもよい。
【発明の効果】
【００１４】
本発明方法及び装置では、血糖値が非侵襲に且つ簡単、迅速に測定できるため、連続的な測定に最適である。例えば、
１  糖尿病患者の手術時、手術後
２  糖尿病患者の妊娠時の管理、妊娠糖尿病の管理
３  小児発症糖尿病患者の思春期の管理
４  高齢者の糖尿病管理
５  糖尿病患者の運動時
６  不安定型の糖尿病モニター
等である。
【００１５】
また、簡単に継続測定（例えば、１時間ごとの測定等）ができるため、通常健康診断等で行なわれる空腹時血糖値の測定だけでは分からない糖尿病の発見が可能である。
【発明を実施するための最良の形態】
【００１６】
以下実施例に従って本発明をより詳細に説明する。
【実施例】
【００１７】
ヘモグロビンと糖（グルコース）との反応物を調べるため、同じ結合様式、即ち反応によって共役の二重結合を生じるものとして、アルギニンとグルコースを用いた。
即ち、アルギニンのみを試験管に入れ、それに光を照射し、試験管からの発光量を調べた。同じことをグルコースのみでも行なった。この両者では、ほとんど発光はなかった。
【００１８】
次に、アルギニンとグルコースを混合して同様に光を照射すると、前記の測定と比較して多量の波長４５０ｎｍ付近の光を発した。
よって、アルギニンとグルコースの反応物が発光することが分かった。
【００１９】
次にこの発光量とグルコース濃度（表ではグルコースとアルギニンとの合計の濃度）の相関関係を調べた。
グルコース濃度        発光量
１    ５ｇ／ｄｌ          １．４
２  １０ｇ／ｄｌ          ３．０
３  １５ｇ／ｄｌ          ４．５
４  ２０ｇ／ｄｌ          ５．９
【００２０】
この測定から、発光量と濃度とはほぼ比例関係があることが分かる。即ち、未知濃度のアルギニンとグルコースを含む溶液に光を照射し、発光量を測定し、その発光量が９なら濃度は３０ｇ／ｄｌであると推定できる。
【００２１】
これらの結果から、人体の血糖値も同様に測定、算定できることは容易に理解できる。
(57)【要約】【課題】  発明の開示で述べた問題点を解決する為に、極めて少ない酸素を使う低温分解は、燃焼する装置とは基本的に異なり有害分質は作りません。よって現代社会がかかえる問題である、経済発展と共に上昇する公害の低減に貢献できるものであり、また現在、産業廃棄物の再利用では限界が有りますが、当装置では、有機物を自然に返す事が出来ます。よって廃棄物の減少に貢献できるものである。【解決手段】  上記の問題を解決するため、請求項１に記載の発明は、金属製の箱に磁気を帯びた外気の酸素を制限し、尚且つ内部温度を約３５０度に保つ事で燃焼では無く分解に変え、ダイオキシンの発生を制御し全体の体積を極限まで減らす事を要旨とする。  また、請求項２に記載の発明は、前記、酸素の制御を本体の排気を用いることで、酸素量の少ない気体を大量に得られる。よって請求項１より高能力の分解を促進させることを要旨としている。【選択図】図１
2008194665.tif 000002
【特許請求の範囲】
【請求項１】
鉄成分入り金属箱に不要に成った有機物を装入し、それを密閉し、磁気を帯びた酸素の極めて少ない気体を、循環させることを特徴とする分解装置。
【請求項２】
鉄成分入り金属箱に不要に成った有機物を装入し、金属箱に排気される気体を用いり密閉かつ圧力の加わった、磁気を帯びた酸素の極めて少ない気体を、より多く循環させることを特徴とする分解装置。
【発明の詳細な説明】
【技術分野】
【０００１】  本考案は、不要に成った有機物を無公害化し尚且つ質量を約３００分の１にする技術と、副産物全てを有機農業の肥料及び殺虫に用いることが出来る構造体に関するものである。
【発明の開示】
【発明が解決しようとする課題】
【０００２】  近年、産業の発達と共に増える産業廃棄物等を、地球の温暖化につながるＣＯ２やダイオキシン等の有害科学分質を排出する焼却炉で、高温処理してきた為に現在から未来に到るまでの地球規模の破壊を続けています。
【課題を解決するための手段】
【０００３】  上記の問題を解決するため、請求項１に記載の発明は、金属製の箱に磁気を帯びた外気の酸素を制限し、尚且つ内部温度を約３５０度に保つ事で、燃焼では無く分解に変え、ダイオキシンの発生を制御し全体の体積を極限まで減らす事を要旨とする。
【発明の効果】
【０００４】  以上で説明したようにこの考案では、有機物を燃焼では無く分解することにより二酸化炭素の排出量を極限まで減らし、化学物質を出さず質量を減らすことができる。
【発明を実施するための最良の形態】
【０００５】  この考案では、気体に磁推力を持たせ、密閉空間で循環させ有機物に属する物体の分子構造を水溶性物と粉末物の２種類に変化させ無公害化と容積を約３００分の１の質量にするものである。【０００６】  また請求項２に記載の発明は、分解速度を加速するために、酸素の少ない排気を再利用する事により、より多くの磁推力を持った気体を作ることが出来るものである。
【実施例】
【０００７】  以下、本発明の有機物分解装置実施例を図面に基づいて説明する。【０００８】  第１図は請求項１の考案にかかる構造体の一実施例の正面断面図を示す。ａより分解したい有機物を入れ密閉してから、機械内温度を約３５０度に上げ、ｂより磁推力をもつ気体を入れｃの矢印の方向に循環させ尚且つｄの排気口圧力調整と水蒸気の排出を行うことと、ｅの底面にサラミック化した粉黛を溜めることができる。【０００９】  第２図は請求項２の考案にかかる構造体の一実施例の側面図を示す。ａより排出された水蒸気状の気体をｂの装置で水分を飛ばし、気体のみをｃで外気と混合しｄを通りｅの帯磁機に大量尚且つ酸素の少ない気体を送り込み、処理能力を上げることができる。
【考案の効果】
【００１０】  以上で説明したようにこの考案では、有機物を燃焼では無く分解することにより二酸化炭素の排出量を極限まで減らし、化学物質を出さず質量を減らすことができる。
【図面の簡単な説明】
【００１１】
【図１】  本考案の実施例にあたる本体正面の断面図である。
【図２】  本考案、請求項２の実施例にあたる本体側面図である。
【符号の説明】
【００１２】１    本体正面の断面図
ａ、ｄ  機具
ｂ〜ｃ  動作
２    本体側面図
ａ〜ｃ、ｅ  機具
ｄ      動作
【図１】
2008194665.tif 000003
【図２】
2008194665.tif 000004
(57)【要約】      （修正有）【課題】意図的、非意図的とに係わらず腐植物質の生成される生物利用の有機性廃水処理において、光線とくに可視光線と、２価鉄イオンを投入又は、発生させる事により、充分な光フェントン反応を誘起し、それによる活性酸素の生成により、その酸化力による脱臭、殺菌、有害化学物質の除去を行う方法を提供する。【解決手段】腐植物質の生成された廃水処理槽内等に光線とくに可視光線の取り入れを、開放型処理槽とすることや人為的照射により行うと共に、２価鉄イオンを投入又は、発生させる事により、充分な光フェントン反応を誘起し、それによる活性酸素の生成により、その酸化力により脱臭、殺菌、有害化学物質の除去を行う。【選択図】なし【特許請求の範囲】
【請求項１】
意図的、非意図的とに係わらず腐植物質の生成される生物利用の有機性廃水処理において、光線とくに可視光線と、２価鉄イオンを投入又は、発生させる事により、充分な光フェントン反応を誘起し、それによる活性酸素の生成により、その酸化力による脱臭、殺菌、有害化学物質の除去を行うものであることを特徴とする有機性廃水の腐植物質と光線と２価鉄イオンによる処理方法。
【請求項２】
光フェントン反応は土壌中において、普通に見られる自然な反応であり、有機廃水処理において、自然な浄化力でもある。自然な浄化力は、生態系を形成してきた反応でもあり、その廃水は、生態系に良い効果をもたらすことを特徴とする請求項１記載の有機性廃水の腐植物質と光線と２価鉄イオンによる処理方法。
【発明の詳細な説明】
【技術分野】
【０００１】  本発明は、有機性廃水処理時に生成される腐植物質と光線と２価鉄イオンによる脱臭、殺菌、有害化学物質除去方法に関する。
【背景技術】
【０００２】  微生物の代謝経路の２重性によるフェノール化合物代謝型（芳香族形成型）微生物を中心とした有機性廃水処理技術がある。【０００３】  この有機性廃水処理技術は微生物の代謝するフェノール又はフェノール露出基のある化合物と有機物が接する事により、有機物が巨大化し、巨大分子化、腐植化する反応が起こる。それにより固液分離を図るものである。また他の有機廃水処理技術においても、非意図的に多少の腐植物質は生成される。【０００４】  土壌において腐植物質と光線と２価鉄イオンによる光フェントン反応が知られている。腐植物質は光線とくに可視光線の吸収帯がある。この腐植物質の光吸収は、溶媒和電子の放出等光誘起電子移動反応を引き起こす。この反応は、天然水中の溶存酸素からヒドロパーオキシドラジカルやその不均化反応物である過酸化水素の生成に寄与する。生成された過酸化水素と２価鉄イオンは、強力な活性酸素ヒドロキシルラジカルを生成する。【０００５】  なお本発明に関する公知技術として次の特許文献１と非特許文献１を、挙げることが出来る。【０００６】
【特許文献】  「有機性物質を含む廃水の処理方法」、登録番号１８６２３７７
【非特許文献】  「有害化学物質の化学形態変化に及ぼす腐植物質の影響」  ｈｔｔｍ：／／ｗｗｗ．ｎｉｒｅ．ｇｏ．ｊｐ／ｐｕｂｌｉｃａ／ｎｅｗｓ−２０００／２０００−０９−１．ｈｔｍ
【発明の開示】
【発明が解決しようとする課題】
【０００７】  腐植化反応を利用した有機性廃水処理技術及び腐植物が生成される有機性廃水処理技術は、原廃水がｐＨ５．０以上ｐＨ７．５以下で推移する事が多い。ｐＨ３．０以上では、鉄イオンは水酸化物の生成等からフェントン反応が起こり難い。また有機廃水処理中の鉄イオン量は常に光フェントン反応を誘起する充分な量があるとは言えない。【０００８】  有機廃水処理槽は、密閉型のものが多い。また光線とくに可視光線の取り入れや照射が充分でないものが多い。【０００９】  光フェントン反応の充分に起こり難い従来の有機性廃水処理は、脱臭、殺菌、有害化学物質の除去は充分ではない。
【問題を解決する為の手段】
【００１０】  上述の課題を解決する為、本発明の有機性廃水の腐植物質と光線と２価鉄イオンによる処理方法は、腐植物質の生成された廃水処理槽内等に光線とくに可視光線の取り入れを、開放型処理槽とした太陽光線の取り入れや人為的照射により行うと共に、２価鉄イオンを投入又は、発生させる事により、充分な光フェントン反応を誘起し、それによる活性酸素の生成により、その酸化力により脱臭、殺菌、有害化学物質の除去を行うものである。
【００１１】  投入する２価鉄イオンは、塩化鉄、硫酸鉄、フルボ酸鉄等の腐植物とのキレート鉄、粘土粒子に吸着された鉄イオン等である。鉄イオンの発生は、鉄材の水和によるイオン発生、金属イオン化傾向による、鉄よりイオン化傾向の小さい金属への電子の受け渡しによる。
【発明の効果】
【００１２】  以上説明したように本発明によれば、有機性廃水処理の際、腐植物質と光線と２価鉄イオンの光フェントン反応による活性酸素の生成による酸化力により脱臭、殺菌、有害化学物質の除去を行う。従来の有機性廃水処理による排水は、脱臭、殺菌、有害化学物質の除去が充分でない為、環境に放出されると、周辺環境及び生物の生育環境等に対して負の効果を及ぼす。排水の脱臭、殺菌、有害化学物質の除去が行われることにより、周辺環境及び生物の生育環境等に対して良い効果をおよぼす。
【発明を実施する為の最良の形態】
【００１３】  本発明は、方法に関するものであり、特別の形態は有しない。有機廃水処理における、腐植物質の生成された処理槽内等において、光線とくに可視光線の取り入れや照射と２価鉄イオンの投入、発生により光フェントン反応を誘起するものである。
【産業上の利用分野】
【００１４】  し尿処理、下水処理、食品廃水処理などの有機廃水処理の分野において利用することが出来る。
(57)【要約】【課題】従来の鉛筆では硬度を表す文字が末端の方に表記されているため、鉛筆立てに立てられた複数の鉛筆から、目的の硬度の鉛筆を即座に取り出すのは困難であった。また、何本かの鉛筆を鉛筆立てから抜いて硬度記述を確かめる必要があり、このためにイライラ感が生じたり、製図の作業能率を低下させるなどの課題があった。【解決手段】円形または多角形の断面を持つ鉛筆において、全周または一部に、硬度に関係付けられた色の下地塗装を施す。このようにすることで、鉛筆を削って鉛筆立てに多数立てた状態から１本の鉛筆を取り出して使用する時は、削り面の僅かな下地塗色によって、必要な硬度の鉛筆を即座に手にすることができる。また、下地の色を最小にすることによって、鉛筆立てに立てて机上に置いた状態は、従来の鉛筆のデザインの優雅さや美しさを損なうことなく硬度表示の利便性を提供できる。【選択図】        図１
2008194860.tif 000002
【特許請求の範囲】
【請求項１】
鉛筆の削り面に硬度に関係する下地色を表示するために鉛筆軸の塗装の一部分または全部を多重塗りにした鉛筆。
【発明の詳細な説明】
【技術分野】
【０００１】
本発明は、硬度の異なる鉛筆を鉛筆立てに立て、それらを使い分けて使用する場合に、的確な硬度の鉛筆を即座に選び出して使用できるように、塗装に工夫を施した鉛筆を提供する。
【背景技術】
【０００２】
鉛筆は容易に書いたり消したりできる点に大きな特長があり、社会のいろいろな場面で広く用いられている。また、文字や線の描画濃度や細かさは鉛筆の硬度と深い関係があり、書く文字や描く図面の性質に合わせて、的確な硬度の鉛筆を選択して使用する必要がある。
【０００３】
その硬度を表示するため、鉛筆の末端６近くの軸表面に硬度を文字４で表記することが一般的に行われている。
【０００４】
実際に鉛筆を使って仕事をする場面では、鉛筆は予め削って芯１を上にして鉛筆立て８に立てた状態にして置き、使う時にそれから適切な硬度の鉛筆を取り出して使用する。
【０００５】
その際、鉛筆の文字による硬度表示４は鉛筆立て８の中に隠れてしまい、鉛筆立てに立てた状態では読み取ることが不可能である。
【０００６】
したがって、鉛筆立て８から鉛筆を抜き、その硬度表記を確認しながら選択し取り出して使用することになる。
【０００７】
この手間は作業能率を著しく損なうことにつながる。
【０００８】
鉛筆軸５の塗装の色や柄を変えることで鉛筆の硬度を表示することも考えられるが、鉛筆立て８に立てたときのデザイン色の統一の美しさという点から難点があり、一般には異なる硬度の鉛筆であっても、同じ色の塗装を施し、同一色で統一することでスッキリ感を出すことが優先されている。
【発明の開示】
【発明が解決しようとする課題】
【０００９】
このように、鉛筆を鉛筆立てに立てた状態では、デザイン色の優雅さや統一性の雰囲気を醸し、鉛筆を鉛筆立てから抜き出して使うときには、適切な硬度の鉛筆を容易に選択できるようにするため、鉛筆の軸５の本来の塗装の下に部分的または全般的に硬度に関係付けられた下地塗装を施した鉛筆を提供する。
【課題を解決するための手段】
【００１０】
これを解決する方法として、円形または多角形の断面を持つ鉛筆において、全周または一部に、硬度に関係付けられた色の下地塗装を施す。
【００１１】
このようにすることで、鉛筆を削って鉛筆立てに多数立てた状態での色彩的な美しさを保つことができ、また、鉛筆を取り出す時は削り面の僅かな下地塗色によって、必要な硬度の鉛筆を即座に手にすることができる。
【発明の効果】
【００１２】
鉛筆の削り面に下地色が僅かに現れるようにすることで、鉛筆立てに立てた鉛筆群の従来のデザインの美しさ・統一性を保ちながら、適切な硬度の鉛筆を即座に取り出せるようになる。
【発明を実施するための最良の形態】
【００１３】
本発明は、鉛筆の六角形の断面の角の部分に硬度を表すための僅かな下塗りの塗料色を採用することで、望まれるデザインの美しさ・統一性を保ちながら、的確な硬度の鉛筆を取り出すことを容易にする。
【００１４】
六角形の鉛筆断面の６個の角または一部の角に、特定の硬度を示す色を予備的に塗装した後、本来の鉛筆の塗装を行う。
【００１５】
これにより、鉛筆の削り面２の片隅に目立たないような小さな下地の塗色３が現れるようになり、鉛筆が削られてもこの硬度を示す色は失われることはなく、また、鉛筆のもつ本来のデザイン色を損なうこともない。
【実施例１】
【００１６】
図１は、本発明の１実施例の図である。
【実施例２】
【００１７】
図２は、鉛筆を鉛筆立てに立てた状態を示す図である。
【産業上の利用可能性】
【００１８】
幾つかの硬度の鉛筆を使い分けて仕事をする場合、鉛筆立てに立てた複数の鉛筆から的確なものを即座に取り出すことが要求される。
【００１９】
本提案の鉛筆はそのような要求を応えることができ、このことによって仕事の能率が上がり、快適な作業環境を提供するための一翼を担うことが期待できる。
【図面の簡単な説明】
【００２０】
【図１】六角形断面の角部分に硬度を表す下地色を付けた鉛筆の例（実施例１）
【図２】鉛筆立てに複数本の鉛筆を立てた状態（実施例２）
【符号の説明】
【００２１】
１  鉛筆の芯
２  鉛筆の削り面
３  硬度を表す下地の塗色
４  鉛筆の硬度表示の印刷
５  本来の塗装が施された鉛筆の軸
６  鉛筆の末端
７  端面に現れた硬度表示の下地塗装色
８  鉛筆立て
【図１】
2008194860.tif 000003
【図２】
2008194860.tif 000004
(57)【要約】【課題】ペットボトルをゴミ分別するとき、飲み口のキャップ残リングが容易に取り外せない為ペンチ型のヘッド部に刃を設け、容易に取り外せるようにする。【解決手段】ペンチ▲１▼のヘッド▲２▼に刃▲３▼を設け、ペットボトルの残リングを両面からカットすることを特徴とする。また、ペンチ▲１▼の中央部にヘッド▲２▼の開閉量が調整できるストッパー▲４▼を設ける。これにより、径の違う残リングも両面からカットすることが出来る。【選択図】図１
2008194811.tif 000002
【特許請求の範囲】
【請求項１】
ペンチ▲１▼のヘッド▲２▼に刃▲３▼を設け、ペットボトルの残リングを両面からカットする。
以上の構成よりなる残リングカット工具
【発明の詳細な説明】
【技術分野】
【０００１】この発明はラベルを剥がし、ペットボトルとキャップにゴミとして分別して捨てる際、ボトルのネック部に残る分別しきれていない残キャップを取り除くためのものです。
【背景技術】
【０００２】従来、ペットボトルのネック部に残る残リングは分別されないで分別済みとなって資源ゴミとして扱われていた。
【発明の開示】
【発明が開発しようとする課題】
【０００３】これは次のような欠点があった。ペットボトルを捨てる際、ボトル・ラベル・キャップの３種類に分別されているが、資源ゴミとしてリサイクルの為の分別を考えるのであれば、ボトルに残った残キャップまで分別する必要がある。この発明は、ますます深刻化するゴミ問題へ、家庭内で出来るまでのリサイクルを行うという観点から考案した発明である。
【課題を解決するための手段】
【０００４】ボトルに残るリングの両端からペンチ▲１▼のヘッド▲２▼に設けられた刃▲３▼で両面からカットし取り外す。
【発明の効果】
【０００５】家庭内でペットボトルを完全分別でき、一人一人のゴミ分別意識の向上にも繋がる。
【発明を実施するための最良の形態】
【０００６】以下、本発明を実施するための最良の形態について説明する。
ペンチ▲１▼のヘッド▲２▼に刃▲３▼を設ける。ペンチ▲１▼の中央付近にヘッド▲２▼の開閉量が調整できるストッパー▲４▼を設ける。これを使用するときは、先端が刃になったペンチで、ペットボトルの残リングを両面からカットすればよい。
【図面の簡単な説明】
【０００７】
【図１】正面図
【図２】側面図
【図３】参考斜面図
【符号の説明】
【０００８】▲１▼ペンチ
▲２▼ヘッド
▲３▼刃
▲４▼ヘッド開閉量調整ストッパー
【図１】
2008194811.tif 000003
【図２】
2008194811.tif 000004
【図３】
2008194811.tif 000005